(57)【要約】【課題】子供が悪戯で本体のマスターボリュームツマミやリモコンの音量調整キーを操作しても、音量が大きくならないようにするチャイルドロック機能を付加したオーディオ装置を提供する。【解決手段】リモコンの音量調整キーの上方向キーと下方向キーとが同時に長押しされると、第１チャイルドロックが設定され、調整された音量の値がメモリに記憶される。子供の悪戯により、マスターボリュームツマミ、またはリモコンの音量調整キーの上方向キーと下方向キーが操作されたときに、メモリに記憶された音量の値よりも音量を小さくしてスピーカから音声を出力させる。上方向キーと下方向キーとを同時に長押しされずに所定時間経過したときには、マスターボリュームツマミ、またはリモコンの音量調整キーの上方向キーあるいは下方向キーを操作しても反応しないようにする第２チャイルドロックが設定される。【選択図】図４
2008053985.tif 000002
【特許請求の範囲】
【請求項１】
ゲインを変化させて音量を調整するための電子ボリュームを有し、入力された音声信号を増幅するプリアンプと、このプリアンプで増幅された音声信号を電力増幅してスピーカに供給するメインアンプとを含み構成されたオーディオ装置において、
本体のマスターボリュームツマミまたはリモコンの音量調整キーの操作に応答して前記電子ボリュームのゲインを変化させて音量を調整制御する音量調整制御手段と、
前記音量調整制御手段により好みの音量に調整された後、初期設定でチャイルドロックモードに設定されているか否かを判定するチャイルドロックモード判定手段と、
前記チャイルドロックモードに設定されていると判定されたときに、前記リモコンの音量調整キーの上方向キーと下方向キーとを同時に長押しされたか否かを判定するキー判定手段と、
前記上方向キーと下方向キーとを同時に長押しされたと判定されたときに、第１チャイルドロックを設定する第１チャイルドロック設定手段と、
前記第１チャイルドロックが設定された後、前記調整された音量の値をメモリに記憶させる調整音量値記憶処理手段と、
前記調整された音量の値がメモリに記憶された後、前記マスターボリュームツマミまたは前記音量調整キーが操作されたときに、前記電子ボリュームのゲインを低下させて前記メモリに記憶された音量の値よりも音量を小さくする音量制御手段と、
前記上方向キーと下方向キーとを同時に長押しされずに所定時間経過したときに、前記マスターボリュームツマミまたは前記音量調整キーを操作しても反応しないようにする第２チャイルドロックを設定する第２チャイルドロック設定手段と、
前記第１チャイルドロックが設定された後、あるいは前記第２チャイルドロックが設定された後、前記上方向キーと下方向キーとを同時に長押しされたということが前記キー判定手段により判定されると、前記第１チャイルドロックまたは前記第２チャイルドロックを解除するチャイルドロック解除手段と、を有するシステムコントローラを備えたことを特徴とするオーディオ装置。
【請求項２】
ゲインを変化させて音量を調整するための電子ボリュームを有し、入力された音声信号を増幅するプリアンプと、このプリアンプで増幅された音声信号を電力増幅してスピーカに供給するメインアンプとを含み構成されたオーディオ装置において、
本体のマスターボリュームツマミまたはリモコンの音量調整キーの操作に応答して前記電子ボリュームのゲインを変化させて音量を調整制御する音量調整制御手段と、
前記音量調整制御手段により好みの音量に調整された後、初期設定でチャイルドロックモードに設定されているか否かを判定するチャイルドロックモード判定手段と、
前記チャイルドロックモードに設定されていると判定されたときに、前記リモコンの予め定めたキーが長押しされたか否かを判定するキー判定手段と、
前記予め定めたキーが長押しされたと判定されたときに、第１チャイルドロックを設定する第１チャイルドロック設定手段と、
前記第１チャイルドロックが設定された後、前記調整された音量の値をメモリに記憶させる調整音量値記憶処理手段と、
前記調整された音量の値がメモリに記憶された後、前記マスターボリュームツマミまたは前記音量調整キーが操作されたときに、前記電子ボリュームのゲインを低下させて前記メモリに記憶された音量の値よりも音量を小さくする音量制御手段と、
前記予め定めたキーが長押しされずに所定時間経過したときに、前記マスターボリュームツマミまたは前記音量調整キーを操作しても反応しないようにする第２チャイルドロックを設定する第２チャイルドロック設定手段と、
前記第１チャイルドロックが設定された後、あるいは前記第２チャイルドロックが設定された後、前記予め定めたキーが長押しされたということが前記キー判定手段により判定されると、前記第１チャイルドロックまたは前記第２チャイルドロックを解除するチャイルドロック解除手段と、を有するシステムコントローラを備えたことを特徴とするオーディオ装置。
【請求項３】
前記リモコンの予め定めたキーの長押しとは、前記リモコン音量調整キーの上方向と下方向キーとを同時に長押しすることであり、前記キー判定手段は、前記チャイルドロックモードに設定されていると判定されたときに、前記リモコンの音量調整キーの上方向キーと下方向キーとを同時に長押しされたか否かを判定することを特徴とする請求項２に記載のオーディオ装置。
【発明の詳細な説明】
【技術分野】
【０００１】
本発明は、ゲインを変化させて音量を調整するための電子ボリュームを有し、入力された音声信号を増幅するプリアンプと、このプリアンプで増幅された音声信号を電力増幅してスピーカに供給するメインアンプとを含み構成されたオーディオ装置に関し、特に、子供の悪戯により本体のマスターボリュームツマミまたはリモコンの音量調整キーが操作されたときにスピーカから出力される音量が大きくならないようにするチャイルドロックの処理に関する。
【背景技術】
【０００２】
映像音声データを記録する記録媒体として、従来から知られている磁気テープであるビデオテープや、近年普及してきているＤＶＤ（デジタル・バーサタイル・ディスク）などがある。ビデオテープは、ビデオカセットレコーダなどの磁気テープ記録再生装置により映像音声データが記録／再生され、ＤＶＤは、ＤＶＤレコーダなどの光ディスク記録再生装置により映像音声データが記録／再生される。
【０００３】
ところで、ビデオテープやＤＶＤに映画の映像音声データが記録されている場合に、その映画を楽しむためにホームシアターモデルを構成すれば、映画館に近い環境で映画を視聴することが可能になる。ホームシアターモデルを構成する場合、映像を表示するディスプレイ装置は大画面が好ましく、音声は迫力のある出力を得るため、低音から高音までの周波数帯域が広い音声を出力するオーディオ装置が用いられることが多い。このようなホームシアターモデルを構成する場合に、特に重要なのは音響効果が映画館での音響効果に近いものになれば良いので、オーディオ装置を磁気テープ記録再生装置や光ディスク記録再生装置に接続してオーディオ装置のスピーカから音声を出力させている。
【０００４】
従来からオーディオ装置は、テレビ受信機からのＴＶ音声信号、ＦＭラジオからのＦＭ音声信号、光ディスク再生装置や光ディスク記録再生装置からのディスク再生音声信号、磁気テープ記録再生装置からのテープ再生音声信号などを入力して、これらのうちの何れかを選択出力する音声入力切換回路と、この音声入力切換回路で選択された音声信号を所定の処理により増幅するプリアンプと、このプリアンプからの音声信号を電力増幅してスピーカに供給するメインアンプと、装置の動作状態や操作内容などを表示する表示部と、装置の各構成要素を制御するシステムコントローラと、このシステムコントローラの動作に必要な情報を記憶するメモリと、リモコンからの赤外線操作信号を受光して電気信号に変換して操作信号をシステムコントローラに与える受光部と、システムコントローラに対して各種操作信号を与える複数の操作キーや電子ボリュームのマスターボリュームツマミなどが設けられた操作パネルとを備えている。
【０００５】
プリアンプは、音声入力切換回路から出力された音声信号の周波数特性を補正するイコライザ回路と、スピーカから出力される音声の音量を調整するための電子ボリュームと、この電子ボリュームで調整された音量を示す音声信号に対して音質の調整を行う音質調整回路と、この音質調整回路で調整された音声信号を増幅してメインアンプに供給する増幅回路とから構成されている。
【特許文献１】特開平１０−２００９７０号公報
【特許文献２】特開２００５−１５９９２６号公報
【特許文献３】特開２００５−２０４１１２号公報
【発明の開示】
【発明が解決しようとする課題】
【０００６】
このような構成を有する従来のオーディオ装置において、電子ボリュームを調整してスピーカから出力される音声の音量を調整する場合に、オーディオ装置の操作パネルに設けられているマスターボリュームツマミを回して音量を調整したり、リモコンの音量調整キーを操作して音量を調整したりして行っているが、ホームシアターの室内に、未だ分別の付かない子供が居る場合、視聴者が気付かない間に、子供がオーディオ機器のマスターボリュームツマミやリモコンの音量調整キーを悪戯して操作すると、音量が急に大きくなって、視聴者が、びっくりすることがあり、安心して視聴することができないと言う課題が生じる。
【０００７】
なお、特許文献１の従来技術は、リモコンに設けられた多数の機能キーのうち、頻度の少ない特定のキーを所定時間押している時、本来の機能を無視して電子機器の制御キーロックを行うようにしているが、オーディオ機器のマスターボリュームツマミの操作については開示されていなく、マスターボリュームツマミを子供が悪戯して操作したときに、音量が急に大きくなる場合には対処することができない。また、その特定のキーを押し忘れた場合には、制御キーロックが掛からないので、リモコンの音量調整キーが子供の悪戯により操作されると、音量が急に大きくなる場合があるが、このような場合にも対処することができない。
【０００８】
特許文献２の従来技術では、キーロックモードを実行すると、表示部にキーロック設定画面が表示され、キーロックしたいリモコンキーを操作すると、キーロック設定画面に、操作キーに対する操作キー情報が表示され、画面を閉じると表示された操作キー情報に対応する操作キーのキーロックが設定されるようになっているが、オーディオ機器のマスターボリュームツマミの操作については開示されていなく、マスターボリュームツマミを子供が悪戯して操作したときに、音量が急に大きくなる場合には対処することができない。また、キーロックの設定を忘れた場合には、キーロックが掛からないので、リモコンの音量調整キーが子供の悪戯により操作されると、音量が急に大きくなる場合があるが、このような場合にも対処することができない。
【０００９】
特許文献３の従来技術では、リモコンの複数キーの同時押しを行った場合、チャイルドロックの設定を行い、リモコンの表示部にチャイルドロックになったことを表示し、また、チャイルドロック時に複数キーの同時押しを行った場合、チャイルドロックを解除するようになっているが、この従来技術も、オーディオ機器のマスターボリュームツマミの操作については開示されていなく、マスターボリュームツマミを子供が悪戯して操作したときに、音量が急に大きくなる場合には対処することができない。また、チャイルドロックの設定を忘れた場合には、チャイルドロックが掛からないので、リモコンの音量調整キーが子供の悪戯により操作されると、音量が急に大きくなる場合があるが、このような場合にも対処することができない。
【００１０】
本発明は、上記のような課題を解決するためになされたもので、子供が悪戯で本体のマスターボリュームツマミやリモコンの音量調整キーを操作しても、音量が大きくならないようにするチャイルドロック機能を付加したオーディオ装置を提供することを目的とする。
【課題を解決するための手段】
【００１１】
上記目的を達成するために、請求項１の発明は、ゲインを変化させて音量を調整するための電子ボリュームを有し、入力された音声信号を増幅するプリアンプと、このプリアンプで増幅された音声信号を電力増幅してスピーカに供給するメインアンプとを含み構成されたオーディオ装置において、本体のマスターボリュームツマミまたはリモコンの音量調整キーの操作に応答して前記電子ボリュームのゲインを変化させて音量を調整制御する音量調整制御手段と、前記音量調整制御手段により好みの音量に調整された後、初期設定でチャイルドロックモードに設定されているか否かを判定するチャイルドロックモード判定手段と、前記チャイルドロックモードに設定されていると判定されたときに、前記リモコンの音量調整キーの上方向キーと下方向キーとを同時に長押しされたか否かを判定するキー判定手段と、前記上方向キーと下方向キーとを同時に長押しされたと判定されたときに、第１チャイルドロックを設定する第１チャイルドロック設定手段と、前記第１チャイルドロックが設定された後、前記調整された音量の値をメモリに記憶させる調整音量値記憶処理手段と、前記調整された音量の値がメモリに記憶された後、前記マスターボリュームツマミまたは前記音量調整キーが操作されたときに、前記電子ボリュームのゲインを低下させて前記メモリに記憶された音量の値よりも音量を小さくする音量制御手段と、前記上方向キーと下方向キーとを同時に長押しされずに所定時間経過したときに、前記マスターボリュームツマミまたは前記音量調整キーを操作しても反応しないようにする第２チャイルドロックを設定する第２チャイルドロック設定手段と、前記第１チャイルドロックが設定された後、あるいは前記第２チャイルドロックが設定された後、前記上方向キーと下方向キーとを同時に長押しされたということが前記キー判定手段により判定されると、前記第１チャイルドロックまたは前記第２チャイルドロックを解除するチャイルドロック解除手段とを有するシステムコントローラを備えたことを特徴とするオーディオ装置を提供する。
【００１２】
この構成において、音量調整制御手段は、本体のマスターボリュームツマミ、またはリモコンの音量調整キーの上方向キーあるいは下方向キーの操作に応答して、電子ボリュームのゲインを変化させて、ユーザの好みの音量に調整すると、この調整された音量にてスピーカから音声が出力される。好みの音量に調整された後、チャイルドロックモード判定手段は、初期設定でチャイルドロックモードに設定されているか否かを判定する。チャイルドロックモードに設定されていないと判定されたときは、通常通り音声出力を行うが、チャイルドロックモードに設定されていると判定されたときには、キー判定手段は、リモコンの音量調整キーの上方向キーと下方向キーとを同時に長押しされたか否かを判定する。
【００１３】
上方向キーと下方向キーとを同時に長押しされたと判定されたとき、第１チャイルドロック設定手段は、第１チャイルドロックを設定する。第１チャイルドロックが設定された後、調整音量値記憶処理手段は、調整された音量の値をメモリに記憶させる。調整された音量の値がメモリに記憶された後、子供の悪戯により、マスターボリュームツマミ、またはリモコンの音量調整キーの上方向キーと下方向キーが操作されたときに、電子ボリュームのゲインを低下させてスピーカから出力される音声の前記メモリに記憶された音量の値よりも音量を小さくする。
【００１４】
一方、上方向キーと下方向キーとを同時に長押しされずに所定時間経過したときに、第２チャイルドロック設定手段は、マスターボリュームツマミ、またはリモコンの音量調整キーの上方向キーあるいは下方向キーを操作しても反応しないようにする第２チャイルドロックを設定する。
【００１５】
第１チャイルドロックが設定された後、あるいは第２チャイルドロックが設定された後、上方向キーと下方向キーとを同時に長押しされたということがキー判定手段により判定されると、チャイルドロック解除手段は、第１チャイルドロックまたは第２チャイルドロックを解除する。これにより、視聴者が、マスターボリュームツマミ、またはリモコンの音量調整キーの上方向キーあるいは下方向キーを操作することで、音量を大きくしたり、小さくしたりすることができる。
【００１６】
この構成によれば、視聴者がリモコンの音量調整キーの上方向キーと下方向キーとを同時に長押しすると、第１チャイルドロックが設定され、子供が悪戯で本体のマスターボリュームツマミやリモコンの音量調整キーを操作しても、音量が小さくなるだけなので、視聴者は大きな音でびっくりすることがなくなり、安心して視聴することができ、また、音量が小さくなることにより、子供が悪戯で本体のマスターボリュームツマミやリモコンの音量調整キーを触ったことが分かり、子供に注意を与えることもできる。
【００１７】
また、リモコンの音量調整キーの上方向キーと下方向キーとを同時に長押しされずに所定時間経過したときに、マスターボリュームツマミまたは音量調整キーを操作しても反応しないようにする第２チャイルドロックが設定されるので、第１チャイルドロックを行うためのリモコンの音量調整キーの上方向キーと下方向キーとを同時に長押しする操作を忘れても、所定時間経過すれば、第２チャイルドロックが掛かるので、子供が悪戯で本体のマスターボリュームツマミやリモコンの音量調整キーを操作しても、音量が大きくなることがなく、これにより、視聴者は大きな音でびっくりすることがなくなり、安心して視聴することができる。また、下方向キーが子供の悪戯で操作されても、第２チャイルドロックが掛かっているので、音量には変化がなく、音量が小さくなって視聴者が聴き難くなるようなことがない。
【００１８】
請求項２の発明は、ゲインを変化させて音量を調整するための電子ボリュームを有し、入力された音声信号を増幅するプリアンプと、このプリアンプで増幅された音声信号を電力増幅してスピーカに供給するメインアンプとを含み構成されたオーディオ装置において、本体のマスターボリュームツマミまたはリモコンの音量調整キーの操作に応答して前記電子ボリュームのゲインを変化させて音量を調整制御する音量調整制御手段と、前記音量調整制御手段により好みの音量に調整された後、初期設定でチャイルドロックモードに設定されているか否かを判定するチャイルドロックモード判定手段と、前記チャイルドロックモードに設定されていると判定されたときに、前記リモコンの予め定めたキーが長押しされたか否かを判定するキー判定手段と、前記予め定めたキーが長押しされたと判定されたときに、第１チャイルドロックを設定する第１チャイルドロック設定手段と、前記第１チャイルドロックが設定された後、前記調整された音量の値をメモリに記憶させる調整音量値記憶処理手段と、前記調整された音量の値がメモリに記憶された後、前記マスターボリュームツマミまたは前記音量調整キーが操作されたときに、前記電子ボリュームのゲインを低下させて前記メモリに記憶された音量の値よりも音量を小さくする音量制御手段と、前記予め定めたキーが長押しされずに所定時間経過したときに、前記マスターボリュームツマミまたは前記音量調整キーを操作しても反応しないようにする第２チャイルドロックを設定する第２チャイルドロック設定手段と、前記第１チャイルドロックが設定された後、あるいは前記第２チャイルドロックが設定された後、前記予め定めたキーが長押しされたということが前記キー判定手段により判定されると、前記第１チャイルドロックまたは前記第２チャイルドロックを解除するチャイルドロック解除手段と、を有するシステムコントローラを備えたことを特徴とするオーディオ装置を提供する。
【００１９】
この構成において、音量調整制御手段は、本体のマスターボリュームツマミ、またはリモコンの音量調整キーの上方向キーあるいは下方向キーの操作に応答して、電子ボリュームのゲインを変化させて、ユーザの好みの音量に調整すると、この調整された音量にてスピーカから音声が出力される。好みの音量に調整された後、チャイルドロックモード判定手段は、初期設定でチャイルドロックモードに設定されているか否かを判定する。チャイルドロックモードに設定されていないと判定されたときは、通常通り音声出力を行うが、チャイルドロックモードに設定されていると判定されたときには、キー判定手段は、リモコンの予め定めたキーが長押しされたか否かを判定する。
【００２０】
リモコンの予め定めたキーが長押しされたと判定されたとき、第１チャイルドロック設定手段は、第１チャイルドロックを設定する。第１チャイルドロックが設定された後、調整音量値記憶処理手段は、調整された音量の値をメモリに記憶させる。調整された音量の値がメモリに記憶された後、子供の悪戯により、マスターボリュームツマミ、またはリモコンの音量調整キーの上方向キーと下方向キーが操作されたときに、電子ボリュームのゲインを低下させてスピーカから出力される音声の前記メモリに記憶された音量の値よりも音量を小さくする。
【００２１】
一方、リモコンの予め定めたキーが長押しされずに所定時間経過したときに、第２チャイルドロック設定手段は、マスターボリュームツマミ、またはリモコンの音量調整キーの上方向キーあるいは下方向キーを操作しても反応しないようにする第２チャイルドロックを設定する。
【００２２】
第１チャイルドロックが設定された後、あるいは第２チャイルドロックが設定された後、リモコンの予め定めたキーが長押しされたということがキー判定手段により判定されると、チャイルドロック解除手段は、第１チャイルドロックまたは第２チャイルドロックを解除する。これにより、視聴者が、マスターボリュームツマミ、またはリモコンの音量調整キーの上方向キーあるいは下方向キーを操作することで、音量を大きくしたり、小さくしたりすることができる。
【００２３】
この構成によれば、視聴者がリモコンの予め定めたキーを長押しすると、第１チャイルドロックが設定され、子供が悪戯で本体のマスターボリュームツマミやリモコンの音量調整キーを操作しても、音量が小さくなるだけなので、視聴者は大きな音でびっくりすることがなくなり、安心して視聴することができ、また、音量が小さくなることにより、子供が悪戯で本体のマスターボリュームツマミやリモコンの音量調整キーを触ったことが分かり、子供に注意を与えることもできる。
【００２４】
また、リモコンのリモコンの予め定めたキーが長押しされずに所定時間経過したときに、マスターボリュームツマミまたは音量調整キーを操作しても反応しないようにする第２チャイルドロックが設定されるので、第１チャイルドロックを行うためのリモコンの予め定めたキーを長押しする操作を忘れても、所定時間経過すれば、第２チャイルドロックが掛かるので、子供が悪戯で本体のマスターボリュームツマミやリモコンの音量調整キーを操作しても、音量が大きくなることがなく、これにより、視聴者は大きな音でびっくりすることがなくなり、安心して視聴することができる。また、下方向キーが子供の悪戯で操作されても、第２チャイルドロックが掛かっているので、音量には変化がなく、音量が小さくなって視聴者が聴き難くなるようなことがない。
【００２５】
請求項３の発明では、請求項２の発明において、前記リモコンの予め定めたキーの長押しとは、前記リモコンの音量調整キーの上方向と下方向キーとを同時に長押しすることであり、前記キー判定手段は、前記チャイルドロックモードに設定されていると判定されたときに、前記リモコンの音量調整キーの上方向キーと下方向キーとを同時に長押しされたか否かを判定するようにしたので、音量に関するチャイルドロックを行うのに、音量調整を行う既存のリモコンの音量調整キーの上方向と下方向キーとを用いることができ、ユーザにとっては使い勝手が良い。
【発明の効果】
【００２６】
以上のように本発明によれば、視聴者がリモコンの音量調整キーの上方向キーと下方向キーとを同時に長押しすると、第１チャイルドロックが設定され、子供が悪戯で本体のマスターボリュームツマミやリモコンの音量調整キーを操作しても、音量が小さくなるだけなので、視聴者は大きな音でびっくりすることがなくなり、安心して視聴することができ、また、音量が小さくなることにより、子供が悪戯で本体のマスターボリュームツマミやリモコンの音量調整キーを触ったことが分かり、子供に注意を与えることもできる。
【００２７】
また、リモコンの音量調整キーの上方向キーと下方向キーとを同時に長押しされずに所定時間経過したときに、マスターボリュームツマミまたは音量調整キーを操作しても反応しないようにする第２チャイルドロックが設定されるので、第１チャイルドロックを行うためのリモコンの音量調整キーの上方向キーと下方向キーとを同時に長押しする操作を忘れても、所定時間経過すれば、第２チャイルドロックが掛かるので、子供が悪戯で本体のマスターボリュームツマミやリモコンの音量調整キーを操作しても、音量が大きくなることがなく、これにより、視聴者は大きな音でびっくりすることがなくなり、安心して視聴することができる。また、下方向キーが子供の悪戯で操作されても、第２チャイルドロックが掛かっているので、音量には変化がなく、音量が小さくなって視聴者が聴き難くなるようなことがない。
【００２８】
また、本発明によれば、視聴者がリモコンの予め定めたキーを長押しすると、第１チャイルドロックが設定され、子供が悪戯で本体のマスターボリュームツマミやリモコンの音量調整キーを操作しても、音量が小さくなるだけなので、視聴者は大きな音でびっくりすることがなくなり、安心して視聴することができ、また、音量が小さくなることにより、子供が悪戯で本体のマスターボリュームツマミやリモコンの音量調整キーを触ったことが分かり、子供に注意を与えることもできる。
【００２９】
また、リモコンのリモコンの予め定めたキーが長押しされずに所定時間経過したときに、マスターボリュームツマミまたは音量調整キーを操作しても反応しないようにする第２チャイルドロックが設定されるので、第１チャイルドロックを行うためのリモコンの予め定めたキーを長押しする操作を忘れても、所定時間経過すれば、第２チャイルドロックが掛かるので、子供が悪戯で本体のマスターボリュームツマミやリモコンの音量調整キーを操作しても、音量が大きくなることがなく、これにより、視聴者は大きな音でびっくりすることがなくなり、安心して視聴することができる。また、下方向キーが子供の悪戯で操作されても、第２チャイルドロックが掛かっているので、音量には変化がなく、音量が小さくなって視聴者が聴き難くなるようなことがない。
【発明を実施するための最良の形態】
【００３０】
以下、添付図面を参照しつつ、本発明の実施の形態について説明する。図１は本発明の一実施形態に係るオーディオ装置の構成を示すブロック図である。
【００３１】
このオーディオ装置Ａは、テレビ受信機からのＴＶ音声信号、ＦＭラジオからのＦＭ音声信号、光ディスク再生装置や光ディスク記録再生装置からのディスク再生音声信号、磁気テープ記録再生装置からのテープ再生音声信号などを入力して、これらのうちの何れかを選択出力する音声入力切換回路１と、この音声入力切換回路１で選択された音声信号を所定の処理により増幅するプリアンプ２と、このプリアンプ２からの音声信号を電力増幅してスピーカ９，１０に供給するメインアンプ３と、装置の動作状態や操作内容などを表示する表示部４と、装置の各構成要素を制御するシステムコントローラ５と、このシステムコントローラ５の動作に必要な情報を記憶するメモリ６と、リモコン１１からの赤外線操作信号を受光して電気信号に変換して操作信号をシステムコントローラ５に与える受光部７と、システムコントローラ５に対して各種操作信号を与える複数の操作キーや電子ボリューム２２のマスターボリュームツマミ２２ａ（図２参照）などが設けられた操作パネル８とを備えている。
【００３２】
プリアンプ２は、音声入力切換回路１から出力された音声信号の周波数特性を補正するイコライザ回路２１と、スピーカ９，１０から出力される音声の音量を調整するための電子ボリューム２２と、この電子ボリューム２２で調整された音量を示す音声信号に対して音質の調整を行う音質調整回路２３と、この音質調整回路２３で調整された音声信号を増幅してメインアンプ３に供給する増幅回路２４とから構成されている。
【００３３】
図２は本実施形態におけるオーディオ装置の操作パネルの一例を示す概略正面図である。図２において、操作パネル８には、プリアンプ２に含まれるイコライザ回路２１（図１参照）の周波数特性を変化させるための例えば５個のイコライザ調整ツマミ２１ａ、装置の動作状態や操作内容などを表示する表示部４、リモコン１１（図１参照）からの赤外線操作信号を受光する受光部７、プリアンプ２に含まれる電子ボリューム２２のマスターボリュームツマミ２２ａなどが設けられている。
【００３４】
図３は本実施形態におけるオーディオ装置に対して操作を行うための赤外線操作信号を出力するリモコンの操作キーの配置の一例を示すキー配置図である。図３において、リモコン１１は、電源キーＰ、音量調整キーの上方向キー２２ｂ、音量調整キーの下方向キー２２ｃ、複数の数字キーＮ、上方向キーａ、下方向キーｂ、左方向キーｃ、右方向キーｄ、エンターキー（決定キー）ｅ、その他複数の操作キーを有する。
【００３５】
図４は本実施形態におけるオーディオ装置のチャイルドロック処理を説明するためのフローチャートである。このフローチャートおよび図１〜図３を参照してオーディオ装置のチャイルドロック処理について説明する。
【００３６】
ここの説明では、オーディオ装置Ａに、例えばＤＶＤ（デジタル・バーサタイル・ディスク）に記録された映像音声データを再生するＤＶＤプレイヤが接続され、リモコン１１の操作によりＤＶＤモードに設定されていると仮定する。このＤＶＤプレイヤにより再生された映像音声データのうち音声データは所定処理されてアナログの音声信号に変換され、ディスク再生音声信号として、オーディオ装置Ａの音声入力切換回路１に入力される。
【００３７】
音声入力切換回路１は、リモコン１１の操作によりＤＶＤモードに設定されているので、ディスク再生音声信号（以下単に音声信号と言う）を選択してプリアンプ２のイコライザ回路２１に入力する。イコライザ回路２１に入力された音声信号は、周波数特性がイコライザ調整ツマミ２１ａの設定位置に応じて補正され、電子ボリューム２２に入力される。
【００３８】
電子ボリューム２２に入力された音声信号は、マスターボリュームツマミ２２ａにより設定された音量に対応するレベルの音声信号、またはリモコン１１の音量調整キーの上方向キー２２ｂあるいは下方向キー２２ｃにより設定された音量に対応するレベルの音声信号となり、音質調整回路２３で音質調整され、更に増幅回路２４に入力されて増幅される。増幅回路２４から出力された音声信号は、メインアンプ３に供給され、電力増幅されて、スピーカ９，１０に供給され、音声化される。
【００３９】
即ち、システムコントローラ５の音量調整制御手段は、本体のマスターボリュームツマミ２２ａ、またはリモコン１１の音量調整キーの上方向キー２２ｂあるいは下方向キー２２ｃの操作に応答して、電子ボリューム２２のゲインを変化させて音量を設定し、この設定された音量でスピーカ９，１０から音声を出力させる（ステップＳ１）。そして、本体のマスターボリュームツマミ２２ａ、またはリモコン１１の音量調整キーの上方向キー２２ｂあるいは下方向キー２２ｃが操作されて、ユーザの好みの音量に調整されると（ステップＳ２）、この調整された音量にてスピーカ９，１０から音声が出力される（ステップＳ３）。
【００４０】
前記音量調整制御手段により好みの音量に調整された後、システムコントローラ５のチャイルドロックモード判定手段は、初期設定でチャイルドロックモードに設定されているか否かを判定する（ステップＳ４）。前記チャイルドロックモードに設定されていないと判定されたときは、通常通り音声出力を行うが（ステップＳ５）、前記チャイルドロックモードに設定されていると判定されたときには、システムコントローラ５のキー判定手段は、リモコン１１の音量調整キーの上方向キー２２ｂと下方向キー２２ｃとを同時に長押しされたか否かを判定する（ステップＳ６）。
【００４１】
上方向キー２２ｂと下方向キー２２ｃとを同時に長押しされたと判定されたとき、システムコントローラ５の第１チャイルドロック設定手段は、第１チャイルドロックを設定する（ステップＳ７）。前記第１チャイルドロックが設定された後、システムコントローラ５の調整音量値記憶処理手段は、前記調整された音量の値をメモリ６に記憶させる（ステップＳ８）。前記調整された音量の値がメモリ６に記憶された後、子供の悪戯により、マスターボリュームツマミ２２ａ、またはリモコン１１の音量調整キーの上方向キー２２ｂあるいは下方向キー２２ｃが操作されたときに、電子ボリューム２２のゲインを低下させてスピーカ９，１０から出力される音声のメモリ６に記憶された音量の値よりも音量を小さくする（ステップＳ１０）。
【００４２】
一方、上方向キー２２ｂと下方向キー２２ｃとを同時に長押しされずに所定時間（例えば５秒）経過したときに（ステップＳ１１）、システムコントローラ５の第２チャイルドロック設定手段は、マスターボリュームツマミ２２ａ、またはリモコン１１の音量調整キーの上方向キー２２ｂあるいは下方向キー２２ｃを操作しても反応しないようにする第２チャイルドロックを設定する（ステップＳ１２）。
【００４３】
前記第１チャイルドロックが設定された後、あるいは前記第２チャイルドロックが設定された後、リモコン１１の音量調整キーの上方向キー２２ｂと下方向キー２２ｃとを同時に長押しされたということが前記キー判定手段により判定されると（ステップＳ１３）、システムコントローラ５のチャイルドロック解除手段は、前記第１チャイルドロックまたは前記第２チャイルドロックを解除する（ステップＳ１４）。これにより、視聴者が、マスターボリュームツマミ２２ａ、またはリモコン１１の音量調整キーの上方向キー２２ｂあるいは下方向キー２２ｃを操作することで、音量を大きくしたり、小さくしたりすることができる。なお、リモコン１１の音量調整キーの上方向キー２２ｂと下方向キー２２ｃとを同時に長押しする代わりに、リモコン１１の予め定めたキーを長押しすると、第１，第２チャイルドロックが設定され、また、第１，第２チャイルドロックが解除されるように構成しても良い。
【００４４】
以上説明したように本実施形態によれば、視聴者がリモコン１１の音量調整キーの上方向キー２２ｂと下方向キー２２ｃとを同時に長押しすると、第１チャイルドロックが設定され、子供が悪戯で本体のマスターボリュームツマミ２２ａ、またはリモコン１１の音量調整キーの上方向キー２２ｂや下方向キー２２ｃを操作しても、音量が小さくなるだけなので、視聴者は大きな音でびっくりすることがなくなり、安心して視聴することができ、また、音量が小さくなることにより、子供が悪戯で本体のマスターボリュームツマミ２２ａ、またはリモコン１１の音量調整キーの上方向キー２２ｂや下方向キー２２ｃを触ったことが分かり、子供に注意を与えることもできる。
【００４５】
また、リモコン１１の音量調整キーの上方向キー２２ｂと下方向キー２２ｃとを同時に長押しされずに所定時間経過したときに、マスターボリュームツマミ２２ａ、またはリモコン１１の音量調整キーの上方向キー２２ｂや下方向キー２２ｃを操作しても反応しないようにする第２チャイルドロックが設定されるので、第１チャイルドロックを行うためのリモコンの音量調整キーの上方向キーと下方向キーとを同時に長押しする操作を忘れても、所定時間経過すれば、第２チャイルドロックが掛かるので、子供が悪戯で本体のマスターボリュームツマミ、またはリモコン１１の音量調整キーの上方向キー２２ｂや下方向キー２２ｃを操作しても、音量が大きくなることがなく、これにより、視聴者は大きな音でびっくりすることがなくなり、安心して視聴することができる。また、下方向キー２２ｃが子供の悪戯で操作されても、第２チャイルドロックが掛かっているので、音量には変化がなく、音量が小さくなって視聴者が聴き難くなるようなことがない。
【産業上の利用可能性】
【００４６】
本発明は、オーディオ装置に利用可能であり、子供が悪戯で本体のマスターボリュームツマミやリモコンの音量調整キーを触っても、音量が大きくならないようにするチャイルドロック機能を付加できる。
【図面の簡単な説明】
【００４７】
【図１】本発明の一実施形態に係るオーディオ装置の構成を示すブロック図である。
【図２】前記実施形態におけるオーディオ装置の操作パネルの一例を示す概略正面図である。
【図３】前記実施形態におけるオーディオ装置に対して操作を行うための赤外線操作信号を出力するリモコンの操作キーの配置の一例を示すキー配置図である。
【図４】前記実施形態におけるオーディオ装置のチャイルドロック処理を説明するためのフローチャートである。
【符号の説明】
【００４８】
Ａ    オーディオ装置
２    プリアンプ
３    メインアンプ
５    システムコントローラ（音量調整制御手段、チャイルドロックモード判定手段、キー判定手段、第１チャイルドロック設定手段、調整音量値記憶処理手段、音量制御手段、第２チャイルドロック設定手段、チャイルドロック解除手段）
６    メモリ
９，１０    スピーカ
１１    リモコン
２２    電子ボリューム
２２ａ    マスターボリュームツマミ
２２ｂ    音量調整キーの上方向キー
２２ｃ    音量調整キーの下方向キー
【図１】
2008053985.tif 000003
【図２】
2008053985.tif 000004
【図３】
2008053985.tif 000005
【図４】
2008053985.tif 000006